(57)【特許請求の範囲】
【請求項１】
印刷装置において、
手動操作によりオン、オフされる電源スイッチと、
この電源スイッチに並列に接続されて前記電源スイッチのオンに伴いオンされるリレー接点と、
前記電源スイッチのオン、オフを検出する検出手段と、
不揮発性メモリと、
前記検出手段により前記電源スイッチのオフが検出された場合に当該印刷装置が異常状態で止まっているか否かを含む当該印刷装置の稼動状態を検出する状態検出手段と、
この状態検出手段により当該印刷装置が異常状態で止まっていることが検出された場合には警告を発する警告手段と、
この警告手段による警告に伴い選択自在な電源オフ強行指示手段と、
この電源オフ強行指示手段により電源オフ強行が指示された場合に前記リレー接点をオフさせるリレー接点制御手段と、
前記リレー接点制御手段による前記リレー接点のオフに先立ちその時点の当該印刷装置の状態情報を前記不揮発性メモリに格納させる状態バックアップ手段と、
前記検出手段により前記電源スイッチのオンが検出された場合に前記リレー接点のオフ時の状況を判断する判断手段と、
この判断手段により異常がある状態で前記リレー接点がオフされたと判断された場合には当該印刷装置のイニシャル動作を行わずに前記不揮発性メモリに格納させた前記状態情報に基づき前記リレー接点のオフ時の警告状態を再現させる再警告手段と、
を備える印刷装置。
【発明の詳細な説明】
【０００１】
【発明の属する技術分野】
本発明は、孔版印刷装置等の印刷装置に関する。
【０００２】
【従来の技術】
一般に、この種の孔版印刷装置等の印刷装置では、他の各種ＯＡ、電気機器の場合と同様に、操作者等によりオン、オフ操作される電源スイッチを備えており、適宜タイミングで当該印刷装置に対する電源をオンさせ、或いは、オフさせるようにしている。また、孔版印刷装置の場合を例に採ると、操作パネル上には、画像の読み取り及び読み取った画像データに基づくマスタの製版及び製版したマスタの版胴への巻き付けをスタートさせるスタートキー、印刷作業をスタートさせるプリントキー、印刷枚数等を置数するテンキー、その他各種ファンクションキー等が設けられており、これらの各種キーを操作することにより、マスタの製版、印刷などを行わせるようにしている。
【０００３】
そして、電源スイッチがオフされた場合には、どのような状態であっても当該印刷装置に対する電源供給を強制的にオフさせる構成とされている。
【０００４】
【発明が解決しようとする課題】
ところが、電源スイッチは操作者の手動操作により任意にオン、オフされるものであり、正常にオフ操作する場合の他、例えば間違ってオフ操作してしまうとか、マシンのトラブルで止むを得ず電源を切らざるを得ない場合とか、どのような状況で電源スイッチが操作されるかは不確定である。このような状況下に、電源スイッチがオフされた場合に常に強制的に電源供給を即座にオフさせてしまう構成では、印刷装置、特に孔版印刷装置にあっては、以下のような不具合がある。
【０００５】
例えば、用紙の搬送状態をチェックするセンサとセンサとの間に用紙が詰まったジャム状態のときに電源スイッチをオフさせ、その後、電源スイッチをオン（再投入）させると、電源供給の強制的なオフに伴いジャム状態が無視されるため、電源再投入に伴いジャムなるエラーが解除されてしまい、給紙動作等を実行することとなり、さらなるジャムの誘発、ジャム紙の破損等のトラブルの拡大を生ずる。また、マスタ製版中に電源スイッチがオフ操作されて強制的に電源がオフされ、電源スイッチがオン（再投入）されるようなケースでは、マスタが引き裂かれて切れ端を生じ、そのマスタ切れ端部分を吸引除去できず、マスタ詰まり等の不具合を引き起こし兼ねない。さらには、製版用の画像データをメモリに読み込んでいる最中に電源スイッチがオフ操作されて強制的に電源がオフされると、それまでに読み込んだ画像データが消滅してしまうため、再度、最初から読み込まなくてはならず、面倒である。画像データに限らず、例えばハードディスク起動時に電源スイッチが誤ってオフ操作されて強制的に電源がオフすることはこの種の危機にとって致命的となる。また、孔版印刷装置によっては、給紙台を昇降自在に設け、電源オフ後の不使用状態では給紙台を畳ませてコンパクトな形とさせておく機種もあるが、動作中に電源スイッチがオフ操作され電源供給が強制的にオフされると、給紙台が最下位位置に位置していないため、そのままでは畳むことができず、畳むためには電源スイッチを再投入して給紙台を最下位位置に位置させなくてはならない、といった不具合も起こり得る。
【０００６】
このように状況によっては、各種不具合が生じ得るが、従来の孔版印刷装置等の印刷装置にあっては、電源スイッチがオフ操作された場合に必ずしも適正に対処することができないものである。
【０００７】
そこで、本発明は、電源スイッチのオン、オフ操作時の状況に応じた適正な電源対策を採ることができ、エラー強制解除、マスタ破損等の不具合の発生を未然に防止できる印刷装置を提供することを目的とする。
【０００８】
【課題を解決するための手段】
【００１２】
請求項１記載の発明は、印刷装置において、手動操作によりオン、オフされる電源スイッチと、この電源スイッチに並列に接続されて前記電源スイッチのオンに伴いオンされるリレー接点と、前記電源スイッチのオン、オフを検出する検出手段と、不揮発性メモリと、前記検出手段により前記電源スイッチのオフが検出された場合に当該印刷装置が異常状態で止まっているか否かを含む当該印刷装置の稼動状態を検出する状態検出手段と、この状態検出手段により当該印刷装置が異常状態で止まっていることが検出された場合には警告を発する警告手段と、この警告手段による警告に伴い選択自在な電源オフ強行指示手段と、この電源オフ強行指示手段により電源オフ強行が指示された場合に前記リレー接点をオフさせるリレー接点制御手段と、前記リレー接点制御手段による前記リレー接点のオフに先立ちその時点の当該印刷装置の状態情報を前記不揮発性メモリに格納させる状態バックアップ手段と、前記検出手段により前記電源スイッチのオンが検出された場合に前記リレー接点のオフ時の状況を判断する判断手段と、この判断手段により異常がある状態で前記リレー接点がオフされたと判断された場合には当該印刷装置のイニシャル動作を行わずに前記不揮発性メモリに格納させた前記状態情報に基づき前記リレー接点のオフ時の警告状態を再現させる再警告手段と、を備える。
【００１３】
従って、用紙ジャム等の異常がある状態で電源スイッチをオフさせてしまった場合でも、即座に電源オフとはならず警告が発せられるので電源スイッチのオフ操作を解除することができる一方、電源オフ強行指示手段を利用することで警告が発せられた状態でも例えば致命的な不具合が発生し得ることを承知の上で利用者の意思に基づき止むを得ず電源を強制的にオフさせることも選択できる。
【００１７】
また、機械の異常状態のまま最終的に電源がオフされた場合において電源スイッチが再投入されたときには、通常のイニシャル動作を行わず異常に基づく警告状態を再現させるだけの処理とすることにより、装置に残っている異常状態を強制的に無視或いは解除して動作状態に移行してしまうことがなく、異常処理を待つこととなるので、ジャム紙の破損等の不具合を回避できる。
【００１８】
【発明の実施の形態】
本発明の一実施の形態を図面に基づいて説明する。本実施の形態の印刷装置は、孔版印刷装置への適用例を示し、図１にその孔版印刷装置の全体構成の概略縦断正面図を示す。
【００１９】
ここで、孔版印刷装置の基本的構造は周知であるので、簡単に説明する。この孔版印刷装置は、ＡＤＦ１を備えたスキャナ部２、製版部３、印刷部４、排版部５、給紙部６、排紙部７等により構成されている。
【００２０】
スキャナ部２は、原稿（図示せず）の画像を光学的に読み取るデジタルスキャナとしての構造を有する。製版部３は、スキャナ部２で読み取った画像データに応じてマスタ原紙をサーマルヘッドで熱溶融穿孔することによりマスタ８を製版し、このマスタ８を所定長さにカットして印刷部４に送り出す。
【００２１】
印刷部４は、軸回りに回転駆動されてその外周面にマスタ８が巻き付けられる多孔性円筒状の版胴９、この版胴９の外周面に接離する位置に移動自在に設けられたプレスローラ１０、版胴９の内部に設けられたインキ供給部（図示せず）等により構成されている。この印刷部４では、マスタ８が巻き付けられた版胴９とプレスローラ１０とにより給紙部６から給紙された用紙１１を挟持し、このときに、インキ供給部から版胴９内に供給されているインキをマスタ８の穿孔部分から滲み出させて用紙１１に転写させることにより印刷を行う。
【００２２】
排版部５は、所定枚数の印刷が終了して不要になった使用済みのマスタ８を版胴９の外周面から剥がし、剥がしたマスタ８を収納する構造である。
【００２３】
給紙部６は、給紙台１２と、給紙台１２上にスライド自在に取り付けられ左右た一対の給紙サイドフェンス１３等を備えた構造で、給紙台１２上に積層状態で載置された用紙１１を分離給紙して版胴９とプレスローラ１０との間に導く構造である。ここに、この給紙部６は、昇降機構（図示せず）を介してＤＣモータ（図示せず）により昇降自在に設けられており、最下位位置では装置本体側に畳める構造とされている。版胴９とプレスローラ１０との間に導かれて印刷が行われた用紙１１は、吸着搬送部１４により吸着搬送され、排紙部７に排紙される。給紙部６と排紙部７との間には、用紙１１が搬送される搬送経路１５が形成されている。搬送経路１５上には特に図示しないが用紙１１の搬送状態を検出する複数のジャム検知センサが配設されている。
【００２４】
排紙部７は、排紙台１６と、この排紙台１６上にスライド自在に取り付けられた左右一対の排紙サイドフェンス１７と、１個のエンドフェンス１８とを備えた構造である。
【００２５】
図２に、本実施の形態の孔版印刷装置に設けられている操作パネル２１の平面図を示す。この操作パネル２１には、後述する警告メッセージ等のような各種の情報を文字や絵柄で表示するタッチパネル構造のＬＣＤ２２、スキャナ部２による画像読取及び製版部３におけるマスタ８の製版を開始させるスタートキー２３、印刷部４による印刷を開始させるプリントキー２４、試しプリントキー２５、ストップキー２６、テンキー２７、モード設定キー２８等が設けられている。
【００２６】
次に、孔版印刷装置の制御系の電気的接続構成例を図３のブロック図に示す。印刷部４に対する制御主体となる本体制御部３１には、ＡＤＦ１用のＡＤＦ制御部３２、スキャナ部２用のスキャナ制御部３３、製版部３用の製版制御部３４、給紙部６用のトレイ制御部３５及び排版部５用の排版制御部３６が各々接続されている。また、本体制御部３１には商用交流電源に基づき５Ｖ，２４Ｖの直流電圧を供給する安定化電源３７が接続され、各制御部３２〜３６に対して５Ｖ，２４Ｖの直流電源の供給が可能とされている。
【００２７】
この安定化電源３７中には図４に示すように電源プラグ３８の片側の電源ライン中に介在されて操作者によりオン、オフ操作される電源スイッチ３９が設けられている。また、この電源スイッチ３９には本体制御部３１からのリレーＯＮ／ＯＦＦ信号に基づきオン・オフ制御されるリレー接点４０が並列に接続されている。
【００２８】
また、本体制御部３１の構成例を図５に示す。この本体制御部３１は各部の処理制御等を受け持つＣＰＵ４１と制御用プログラム、その他の情報を固定的に格納したＲＯＭ４２と各種情報を書換え自在に格納するＲＡＭ４３とを備えたマイクロコンピュータ構成とされている。このＣＰＵ４１がＲＯＭ４２に格納された制御プログラムに従い、電源スイッチ３９のオン、オフ操作に伴う後述のような各手段の機能を実行する。この他、不揮発性メモリとしてのバックアップＲＡＭ４４が設けられ、さらに、前述した各制御部３２〜３６用のＩ／Ｏ制御部４５を備えている。また、ＣＰＵ４１には前述した操作パネル２１がシリアル通信により接続されている。
【００２９】
このような構成において、電源スイッチ３９をオフさせた場合の処理制御例を図６に示すフローチャートを参照して説明する。まず、電源スイッチ３９がオフされたか否かを監視する（ステップＳ１）。この処理は電源電圧の監視等により実現されるもので、ステップＳ１の処理が検出手段の機能として実行される。電源スイッチ３９のオフが検出された場合（Ｓ１のＹ）、その時点で機械（当該孔版印刷装置）が何らかの異常状態で止まっているか否かをチェックする（Ｓ２）。この判断は搬送経路１５におけるジャムセンサの検出出力等によりエラー信号が出ているか否かにより判断されるが、このステップＳ２の処理が状態検出手段の機能として実行される。異常状態で止まっていない場合に（Ｓ２のＮ）、機械（当該孔版印刷装置）が動作中であるか否かをチェックする（Ｓ３）。この判断は、例えば本体制御部３１においてハードディスクが起動中であるとか、製版部３による製版中であるとか印刷部４による印刷中であるとかいった各制御部３１〜３６の稼動情報に基づき判断されるが、このステップＳ３の処理も状態検出手段の機能として実行される。機械動作中でなければ（Ｓ３のＮ）、機械（当該孔版印刷装置）の電源をオフさせてもよい状態に移行させる（Ｓ４）。電源をオフさせてもよい状態への移行とは、例えば、給紙部６の給紙台１２を畳み込み可能な最下位位置に移動させる等の初期状態への移行を意味する。このステップＳ４の処理が停止状態移行手段の機能として実行される。引き続き、今の機械の状態をバックアップＲＡＭ４４に格納させた後、安定化電源３７に対してリレーＯＦＦ信号を出力してリレー接点４０をオフさせることにより、電源を切る（Ｓ５）。このステップＳ５の処理がリレー接点制御手段の機能として実行され、実際に電源供給がオフされる。また、このステップＳ５の処理は状態バックアップ手段の機能としても実行される。
【００３０】
一方、機械動作中であった場合には（Ｓ３のＹ）、操作パネル２１のＬＣＤ２２を通じて本当に電源を切っても良いかを促す警告表示を行わせる（Ｓ６）。このステップＳ６の処理が警告手段の機能として実行される。図８（ａ）はＬＣＤ２２を利用した警告表示の表示例を示し、「本当に電源を切ってもよいですか  このまま電源を切ると機械をこわすおそれがあります。」といった警告メッセージ４６とともに、その警告に対する利用者の意思表示を受けるための「いいえ」「はい」の指示部４７とが表示され、かつ、何れを選択設定するかの「←」「→」「設定」なるタッチパネル方式の操作部４８も表示される。「←」「設定」を操作することにより、「いいえ」が選択設定され、「→」「設定」を操作することにより、「はい」が選択設定される。「→」「設定」の操作により、「はい」が選択設定された場合には（Ｓ７のＹ）、動作中の機械を停止させる（Ｓ８）。ステップＳ７のＹの処理が電源オフ強行指示手段の機能として実行され、ステップＳ８の処理が停止状態移行手段の機能として実行される。引き続き、今の機械の状態をバックアップＲＡＭ４４に格納させた後、安定化電源３７に対してリレーＯＦＦ信号を出力しリレー接点４０をオフさせることにより、電源を切る（Ｓ９）。このとき、操作パネル２１のＬＣＤ２２では、図８（ｂ）に示すように「電源を切ります  しばらくおまちください」の如きメッセージが表示される（ステップＳ５の場合も同様）。このステップＳ９の処理がリレー接点制御手段の機能として実行され、実際に電源供給がオフされる。また、このステップＳ９の処理は状態バックアップ手段の機能としても実行される。
【００３１】
一方、ステップＳ６の警告表示に基づき、「←」「設定」の操作により、「いいえ」が選択設定された場合には（Ｓ７のＮ）、電源スイッチ３９をオフさせる前の表示に戻し電源はオフさせない（Ｓ１０）。
【００３２】
また、ステップＳ２において、異常状態で止まっていると判断された場合に（Ｓ２のＹ）、操作パネル２１のＬＣＤ２２を通じて本当に電源を切っても良いかを促す警告表示を行わせる（Ｓ１１）。このステップＳ１１の処理が警告手段の機能として実行される。この場合もステップＳ６の場合と同様に図８（ａ）に示したような警告表示がなされる。「→」「設定」の操作により、「はい」が選択設定された場合には（Ｓ１２のＹ）、今の機械の状態をバックアップＲＡＭ４４に格納させた後、安定化電源３７に対してリレーＯＦＦ信号を出力しリレー接点４０をオフさせることにより、電源を切る（Ｓ１３）。ステップＳ１２のＹの処理が電源オフ強行指示手段の機能として実行され、ステップＳ１３の処理がリレー接点制御手段及び状態バックアップ手段の機能として実行される。
【００３３】
一方、ステップＳ１１の警告表示に基づき、「←」「設定」の操作により、「いいえ」が選択設定された場合には（Ｓ１２のＮ）、電源スイッチ３９をオフさせる前の表示に戻し電源はオフさせない（Ｓ１０）。
【００３４】
次に、電源スイッチ３９をオンさせた場合の処理制御例を図７に示すフローチャートを参照して説明する。まず、電源スイッチ３９のオンが検出された場合、前回の電源オフ時（即ち、リレー接点４０のオフ時）に機械に異常があったか否かをチェックする（Ｓ２１）。このチェックはバックアップＲＡＭ４４に格納された状態情報等に基づき判断され、このステップＳ２１の処理が判断手段の機能として実行される。異常がなく電源がオフされていた場合には（Ｓ２１のＮ）、常通り、各種センサチェック等のイニシャル動作を行う（Ｓ２２）。イニシャル動作後、現状で機械に異常があるか否かをセンサ出力等によりチェックする（Ｓ２３）。異常がなければ（Ｓ２３のＮ）、バックアップＲＡＭ４４に格納された設定値等に関する状態情報を読み出して機械（当該孔版印刷装置）を前回電源オフ時の状態に戻し（Ｓ２４）、待機状態となる（Ｓ２５）。
【００３５】
一方、カバーオープン等の異常がある場合には（Ｓ２３）、その旨の警告表示を行い（Ｓ２６）、エラー処理に移行する（Ｓ２７）。
【００３６】
また、異常状態のまま電源が強制的にオフされていた場合には（Ｓ２１のＹ）、ステップＳ２２のようなイニシャル動作を行うことなく、ＬＣＤ２２を通じて前回電源オフ時の警告表示を行わせ（Ｓ２８）、エラー処理に移行する（Ｓ２９）。ステップＳ２８の警告表示はバックアップＲＡＭ４４に格納させた状態情報を用いることによりなされ、このステップＳ２８の処理が再警告手段の機能として実行される。
【００３７】
従って、本実施の形態によれば、全ての動作終了後などの時点で電源スイッチ３９をオフさせた場合には、ステップＳ１のＹ、Ｓ２のＮ、Ｓ３のＮ、Ｓ４、Ｓ５の処理により最終的に電源がオフされることとなり、何ら支障のない電源オフ処理となる。特に、電源を切っても良い状態に移行させてから（Ｓ４）、電源をオフさせる（Ｓ５）ので、例えば、給紙部６の給紙台１２を畳み込み可能な最下位位置に移動させてから、電源オフさせるので、電源スイッチ３９を再投入することなく電源オフ状態のまま給紙台１２を畳む等の処理を行える。
【００３８】
また、スキャナ部２での原稿読取動作中、製版部３での製版動作中、といった動作中に誤って電源スイッチ３９をオフ操作してしまった場合には、本当に電源を切っても良いかの警告表示がなされるので（Ｓ６）、この警告に基づき電源オフを解除させることもできる。この結果、原稿読取中に不用意に電源をオフさせてしまうことがなく、最初から再度原稿読み取りを行わなければならないといった不具合を回避できる。また、仮に警告表示に関わらず電源をオフさせる場合であっても（Ｓ７のＹ）、機械を停止させ（Ｓ８）、電源を切っても良い状態に移行させてから最終的に電源をオフさせるので（Ｓ９）、例えば、製版動作中であれば製版動作を終わらせてから電源をオフさせることによりマスタの切れ端等の発生、及び切れ端に伴う送り不良等の不具合を回避することができる。
【００３９】
さらに、用紙ジャム等の異常が発生している状態で電源スイッチ３９をオフさせる場合でも、即座に電源オフとはならず警告が発せられるので（Ｓ１１）、電源スイッチ３９のオフ操作を解除することができる一方、警告が発せられた状態でも例えば致命的な不具合が発生し得ることを承知の上で利用者の意思に基づき止むを得ず電源を強制的にオフさせることも選択できる（Ｓ１２のＹ）。
【００４０】
【発明の効果】
【００４２】
請求項１記載の発明によれば、用紙ジャム等の異常がある状態で電源スイッチをオフさせてしまった場合でも、即座に電源オフとはならず警告が発せられるので電源スイッチのオフ操作を解除することができる一方、電源オフ強行指示手段を利用することで警告が発せられた状態でも例えば致命的な不具合が発生し得ることを承知の上で利用者の意思に基づき止むを得ず電源を強制的にオフさせることも選択することができる。
【００４４】
また、機械の異常状態のまま最終的に電源がオフされた場合において電源スイッチが再投入されたときには、通常のイニシャル動作を行わず異常に基づく警告状態を再現させるだけの処理とすることにより、装置に残っている異常状態を強制的に無視或いは解除して動作状態に移行してしまうことがなく、異常処理を待つこととなるので、ジャム紙の破損等の不具合を回避することができる。
【図面の簡単な説明】
【図１】  本発明の一実施の形態の孔版印刷装置の全体構成を示す概略縦断正面図である。
【図２】  その操作パネルを示す平面図である。
【図３】  制御系の電気的接続構成例を示すブロック図である。
【図４】  その安定化電源のスイッチ構成を示す配線図である。
【図５】  その本体制御部の構成例を示すブロック図である。
【図６】  電源スイッチのオフに伴う処理制御例を示すフローチャートである。
【図７】  電源スイッチのオンに伴う処理制御例を示すフローチャートである。
【図８】  操作パネルのＬＣＤにおける表示例を示す平面図である。
【符号の説明】
３９      電源スイッチ
４０      リレー接点
４４      不揮発性メモリ
Ｓ１      検出手段
Ｓ２，Ｓ３      状態検出手段
Ｓ４      停止状態移行手段
Ｓ５      リレー接点制御手段、状態バックアップ手段
Ｓ６      警告手段
Ｓ７のＹ      電源オフ強行指示手段
Ｓ８      停止状態移行手段
Ｓ９      リレー接点制御手段、状態バックアップ手段
Ｓ１１      警告手段
Ｓ１２のＹ      電源オフ強行指示手段
Ｓ１３      リレー接点制御手段、状態バックアップ手段
Ｓ２１      判断手段
Ｓ２８      再警告手段
【図１】
0004466936.tif 000002
【図２】
0004466936.tif 000003
【図３】
0004466936.tif 000004
【図４】
0004466936.tif 000005
【図５】
0004466936.tif 000006
【図６】
0004466936.tif 000007
【図７】
0004466936.tif 000008
【図８】
0004466936.tif 000009